(57)【要約】  エアクリーナの容量の低下やエアクリーナの大型化を招くことなく、確実にエアクリーナを密封することのできるエアクリーナを提供する。  開口部及び流入口が形成されたケースと、流出口が形成されると共に、前記開口部を密封するカバーとからなるハウジングを備え、前記ハウジング内を、前記流入口側のダストサイドと、前記流出口側のクリーンサイドとに区画するフィルタエレメントとを備え、前記フィルタエレメントは、前記流入口から流入した流体を濾過するフィルタ部と、前記開口部に沿って前記開口部を密封するシール手段が形成されると共に前記ハウジングの外方に向けて延設して形成されたフランジ部を備えたエアクリーナにおいて、前記フランジ部には、さらに前記フランジ部の延設方向に沿って延びるシール手段保護部が形成される。
2012067133.tif 000002
【特許請求の範囲】
【請求項１】
開口部及び流入口が形成されたケースと、
流出口が形成されると共に、前記開口部を密封するカバーとからなるハウジングを備え、
前記ハウジング内を、前記流入口側のダストサイドと、前記流出口側のクリーンサイドとに区画するフィルタエレメントとを備え、
前記フィルタエレメントは、前記流入口から流入した流体を濾過するフィルタ部と、前記開口部に沿って前記開口部を密封するシール手段を有すると共に前記ハウジングの外方に向けて延設して形成されたフランジ部を備えたエアクリーナにおいて、
前記フランジ部は、さらに前記フランジ部の延設方向に沿って延びるシール手段保護部を備えることを特徴とするエアクリーナ。
【請求項２】
請求項１に記載のエアクリーナにおいて、
前記シール手段保護部は、前記フィルタエレメントを前記ハウジングに組み付ける際の挿入方向に沿って延設されることを特徴とするエアクリーナ。
【請求項３】
請求項１または２に記載のエアクリーナにおいて、
前記シール手段保護部は、前記ケースに形成された切欠部に挿入されることを特徴とするエアクリーナ。
【請求項４】
請求項３に記載のエアクリーナにおいて、
前記シール手段保護部は、前記ケースの外部に突出していることを特徴とするエアクリーナ。
【請求項５】
請求項１から４のいずれか１項に記載のエアクリーナにおいて、
前記シール手段保護部は、前記ケース側に突出する突部を備えることを特徴とするエアクリーナ。
【請求項６】
請求項１から５のいずれか１項に記載のエアクリーナにおいて、
前記シール手段保護部は、前記シール手段と一体に形成されることを特徴とするエアクリーナ。
【請求項７】
請求項１から６のいずれか１項に記載のエアクリーナにおいて、
前記シール手段保護部は、２以上形成されていることを特徴とするエアクリーナ。
【発明の詳細な説明】
【技術分野】
【０００１】
本発明は、エアクリーナに係り、特に、フィルタエレメントの組み付け時にエアクリーナの内部を密封するシール手段の損傷や捲れて組み付けることを防止し、フィルタエレメントを正確な位置に正確な状態で組み付けることができるエアクリーナに関する。
【背景技術】
【０００２】
従来、内燃機関用のエアクリーナとして、ケースとカバーとをヒンジとヒンジ受部とによって構成されたヒンジ構造により相互に連結し、これら相互に回動させて開閉可能に形成したエアクリーナが知られている。このようなエアクリーナは、ケース又はカバーの一方に吸気口を、他方に排気口を夫々形成し、これら吸気口と排気口とがフィルタエレメントを介して連通されるように、ケースとカバーとでフィルタエレメントの外縁を狭持して内部にフィルタエレメントを収納している。【０００３】
また、エアクリーナは、吸入口から吸入した外気に混入した塵埃等をろ過して、ろ過された外気を排気口から内燃機関側へ供給する機能を有しているので、エアクリーナの内部は外部と連通しないように密封されている。この密封の構造は、種々の構造が知られているが、例えば特許文献１に記載されているように、フィルタエレメントの外縁にシール手段を設け、該シール手段をケースとカバーとで挟持することでエアクリーナの内部を密封する方法が知られている。
【先行技術文献】
【特許文献】
【０００４】
【特許文献１】特開２００５−３６７０１号公報
【０００５】
特許文献１に記載されたエアクリーナは、フィルタエレメントの外縁に形成されたパッキンがカバーの周縁とケースの周縁とに挟み込まれるようにしてケースの上面に収納されていることでエアクリーナの密封を実現している。また、フィルタエレメントは定期的に交換を要する部材であることから、エアクリーナが車体に組み付けられた状態でフィルタエレメントの交換作業を行う際に、パッキンが開口部に対して摺動することで、パッキンが損傷したり、捲れて組み付けられてシール性が低下する可能性がある。これを防止するために、図１０に示すように、開口部を有するケース１２０と、このケース１２０の開口部を開閉するカバーと、周縁にパッキン１３３が取り付けられ、前記ケース１２０の開口部から挿入して前記ケース１２０に収納されるフィルタエレメント１３０とを備え、前記ケース１２０内には、前記フィルタエレメント１３０の挿入途中にこのフィルタエレメント１３０の挿入方向先端側を下から支持し、前記パッキン１３３と前記ケース１２０の開口部との接触を回避するように前記フィルタエレメント１３０を案内するガイド１２１が設けられるという構成を備えている。また、パッキンの損傷や捲れを防止するための別の方法としては、図１１に示すように、フィルタエレメント１３０´の組み付け時にケース１２０のシール面１２５と摺動する下側のパッキン１３３´を上側のパッキン１３３と逆向きに配置することでパッキン１３３´の損傷や捲れを防止する方法が知られている。【０００６】
このように特許文献１に記載されたエアクリーナは、フィルタエレメントをケースとカバーとで挟持することにより、エアクリーナ内部を密封し、ケース内部にガイドを設けたり、パッキンの形状を調整することで、パッキンの損傷や捲れを防止している。
【発明の概要】
【発明が解決しようとする課題】
【０００７】
上述した従来のエアクリーナの構成によると、特許文献１に記載されたエアクリーナは、パッキンの損傷や捲れ防止方法として、ケース１２０内にガイド１２１を形成しているので、ケース１２０内の容量が減少してしまい、エアクリーナの容量を確保するためにケース１２０が大型化してしまうといった問題があった。また、流体の流路となるケース１２０内にガイド１２１が形成されているので、円滑な通気を阻害する可能性があった。さらに、図１１のように記載したパッキンの損傷や捲れ防止方法によると、下側のパッキン１３３´が上側のパッキン１３３と逆向きに配置されているので、エアクリーナの外部から内部に向かう方向のシール性が著しく低下してしまい、エアクリーナの性能を確保することができないという問題があった。【０００８】
そこで、本発明は上記問題に鑑みてなされたものであり、エアクリーナの容量の低下やエアクリーナの大型化を招くことなく、確実にエアクリーナを密封することのできるエアクリーナを提供することを目的とする。
【課題を解決するための手段】
【０００９】
本発明に係るエアクリーナは、開口部及び流入口が形成されたケースと、流出口が形成されると共に、前記開口部を密封するカバーとからなるハウジングを備え、前記ハウジング内を、前記流入口側のダストサイドと、前記流出口側のクリーンサイドとに区画するフィルタエレメントとを備え、前記フィルタエレメントは、前記流入口から流入した流体を濾過するフィルタ部と、前記開口部に沿って前記開口部を密封するシール手段を有すると共に前記ハウジングの外方に向けて延設して形成されたフランジ部を備えたエアクリーナにおいて、前記フランジ部は、さらに前記フランジ部の延設方向に沿って延びるシール手段保護部を備えることを特徴とする。【００１０】
また、本発明に係るエアクリーナにおいて、前記シール手段保護部は、前記フィルタエレメントを前記ハウジングに組み付ける際の挿入方向に沿って延設されると好適である。【００１１】
また、本発明に係るエアクリーナにおいて、前記シール手段保護部は、前記ケースに形成された切欠部に挿入されると好適である。【００１２】
また、本発明に係るエアクリーナにおいて、前記シール手段保護部は、前記ケースの外部に突出していると好適である。【００１３】
また、本発明に係るエアクリーナにおいて、前記シール手段保護部は、先端部に前記ケース側に突出する突部を備えると好適である。【００１４】
また、本発明に係るエアクリーナにおいて、前記シール手段保護部は、前記シール手段と一体に形成されると好適である。【００１５】
また、本発明に係るエアクリーナにおいて、前記シール手段保護部は、２以上形成されていると好適である。【００１６】
上記発明の概要は、本発明の必要な特徴の全てを列挙したものではなく、これらの特徴群のサブコンビネーションもまた発明となり得る。
【発明の効果】
【００１７】
本発明に係るエアクリーナは、フィルタエレメントにフランジ部の延設方向に沿って延びるシール手段保護部を備えているので、ケースの容量を低下させることなく、かつシール手段の損傷や捲れを生じることなく、確実にフィルタエレメントをハウジングに組み込むことができる。【００１８】
また、本発明に係るエアクリーナは、シール手段保護部がフィルタエレメントをハウジングに組み付ける際の挿入方向に沿って延設されているので、フィルタエレメントの組み付け時にシール手段が開口部と接することがなく、シール手段の損傷や捲れを防止して、シール手段を正しい姿勢で組み付けることができ、エアクリーナを確実に密封することができる。【００１９】
また、本発明に係るエアクリーナは、シール手段保護部がケースに形成された切欠部に挿入されるので、フィルタエレメントの向きを誤って挿入した場合に、フィルタエレメントの誤組み付けを防止することができる。【００２０】
また、本発明に係るエアクリーナは、シール手段保護部がケースの外部に突出しているので、エアクリーナの外部からフィルタエレメントが組み付けられていることを目視確認することができ、フィルタエレメントの組み付け忘れを防止することができる。【００２１】
また、本発明に係るエアクリーナは、シール手段保護部にケース側に突出する突部を備えるので、フィルタエレメントの組み付け時に該突部がケースと摺動し、シール手段とケースとが接触することを防止することができる。【００２２】
また、本発明に係るエアクリーナは、シール手段保護部がシール手段と一体に形成されているので、一体に成形することで容易にシール手段保護部を形成することができ、かつ製造コストを抑制することができる。【００２３】
また、本発明に係るエアクリーナは、シール手段保護部が２以上形成されているので、フィルタエレメントが斜めに傾いて挿入されることを防止することができ、フィルタエレメントの組み付け時にシール手段が開口部と接することがなく、シール手段の損傷や捲れを防止して、シール手段を正しい姿勢で組み付けることができ、エアクリーナを確実に密封することができる。
【図面の簡単な説明】
【００２４】
【図１】第１の実施形態に係るエアクリーナの概要を説明するための正面図。
【図２】第１の実施形態に係るエアクリーナの構成を説明するための正面図。
【図３】第１の実施形態に係るエアクリーナに組み付けられるフィルタエレメントの構成を説明するための正面図。
【図４】シール手段保護部の構成を説明するための拡大図。
【図５】ケースの切欠部を説明するための拡大斜視図。
【図６】フィルタエレメントの組み付け状態を説明するための拡大斜視図。
【図７（ａ）】第１の実施形態に係るエアクリーナにフィルタエレメントを組み付ける手順を説明するための図。
【図７（ｂ）】第１の実施形態に係るエアクリーナにフィルタエレメントを組み付ける手順を説明するための図。
【図７（ｃ）】第１の実施形態に係るエアクリーナにフィルタエレメントを組み付ける手順を説明するための図。
【図８（ａ）】第２の実施形態に係るエアクリーナにフィルタエレメントを組み付ける手順を説明するための図。
【図８（ｂ）】第２の実施形態に係るエアクリーナにフィルタエレメントを組み付ける手順を説明するための図。
【図８（ｃ）】第２の実施形態に係るエアクリーナにフィルタエレメントを組み付ける手順を説明するための図。
【図９】第３の実施形態に係るエアクリーナに組み付けられるフィルタエレメントの構成を説明するための正面図。
【図１０】従来のエアクリーナの構造を説明するための断面図。
【図１１】従来のエアクリーナの他の構造を説明するための断面図。
【発明を実施するための形態】
【００２５】
以下、本発明を実施するための好適な実施形態について、図面を用いて説明する。なお、以下の実施形態は、各請求項に係る発明を限定するものではなく、また、実施形態の中で説明されている特徴の組み合わせの全てが発明の解決手段に必須であるとは限らない。
【００２６】
［第１の実施形態］
図１は、第１の実施形態に係るエアクリーナの概要を説明するための正面図であり、図２は、第１の実施形態に係るエアクリーナの構成を説明するための正面図であり、図３は、第１の実施形態に係るエアクリーナに組み付けられるフィルタエレメントの構成を説明するための正面図であり、図４は、シール手段保護部の構成を説明するための拡大図であり、図５は、ケースの切欠部を説明するための拡大斜視図であり、図６は、フィルタエレメントの組み付け状態を説明するための拡大斜視図であり、図７（ａ）〜（ｃ）は、第１の実施形態に係るエアクリーナにフィルタエレメントを組み付ける手順を説明するための図である。なお、図１において矢印で記載した方向を上下方向として定義する。
【００２７】
図１及び図２に示すように、本実施形態に係るエアクリーナ１は、ケース２０と、ケース２０の開口部２２を閉塞するカバー１０とからなるハウジングを備え、ケース２０及びカバー１０との間に介在するフィルタエレメント３０とから構成されている。
【００２８】
ケース２０は、開口部２２を有する有底筒状に形成されており、外気などの吸気流体を導入する流入口２１が形成されている。
【００２９】
カバー１０は、上述したように、ケース２０の開口部２２を閉塞するように組み付けられており、さらに、吸気流体を内燃機関側へ排出する流出口１１が形成されている。なお、カバー１０は、カバー１０に形成されたヒンジ部１２がケース２０に形成されたヒンジ受部２４に係合することで、ケース２０に対して係脱自在に組み付けられている。また、カバー１０がケース２０の開口部２２を閉塞した状態で、掛止部１３によってケース２０とカバー１０とが組み付けられている。掛止部１３は、ボルトやナットによる締結の他、クリップ、スナップフィットなど、周知の掛止手段を適用することができる。なお、ケース２０及びカバー１０はポリプロピレン系樹脂やポリアミド系樹脂等の熱可塑性の合成樹脂によって形成されている。
【００３０】
図３に示すように、フィルタエレメント３０は、流入口２１から流入した吸気流体をろ過するフィルタ部３１と、開口部２２に沿って開口部２２を密封するシール手段３３が取り付けられると共に、ハウジングの外方に向けて延設して形成されたフランジ部３２を備えている。フィルタエレメント３０は、流入口２１と連通するダストサイドと、流出口１１と連通するクリーンサイドとに区画しており、前記ケース２０の開口部２２の周縁に沿って形成されたシール面２５にシール手段３３が載置され、シール手段３３の上方からカバー１０を組み付けることで、ケース２０とカバー１０とに挟持されて、ハウジング内を密封している。
【００３１】
フィルタ部３１は、不織布やろ紙などをプリーツ加工して形成された濾材３１ｂと該濾材３１ｂを保持するフレーム３１ａとからなっており、濾材３１ｂにプリーツ加工を施すことで、ろ過面積の増大や通気抵抗の抑制を図っている。なお、濾材３１ｂはプリーツ加工を施さず、平面状のシートとして構成することもできる。
【００３２】
フランジ部３２は、シール面２５に沿うように、フレーム３１ａからハウジングの外方に向けて延設して形成されており、その上下面にシール手段３３が取り付けられている。シール手段３３は、フランジ部３２からケース２０及びカバー１０に向かって斜め上下方向に夫々突出する舌状に形成されている。シール手段３３は、ゴムやエラストマといった弾性力を有する材料で形成されており、ケース２０とカバー１０とに挟持されることでシール手段３３が変形し、エアクリーナ１の内部を通過する吸気流体をシールしている。このように、フィルタエレメント３０は、エアクリーナ１の内部を流入口２１と連通する側のダストサイドと、流出口１１と連通する側のクリーンサイドとに区画している。なお、フランジ部３２の延設方向はフィルタエレメント３０の挿入方向Ｆと略水平に形成されている。
【００３３】
図４に示すように、フランジ部３２には、フランジ部３２先端からフィルタエレメント３０の挿入方向Ｆに沿って延びるシール手段保護部３４が取り付けられている。シール手段保護部３４は、ケース２０の開口部２２に形成されたシール面２５側に向かって突出する突部３５が形成されている。また、図５及び図６に示すように、フィルタエレメント３０は、シール手段保護部３４をケース２０の開口部２２に形成された切欠部２３に挿入して組み付けられている。フィルタエレメント３０がケース２０に組み付けられた状態において、シール手段保護部３４は、ケース２０の外部に突出して組み付けられている。なお、シール手段保護部３４及び突部３５は、シール手段３３と一体に形成されている。
【００３４】
次に、図７（ａ）から（ｃ）を参照して、本実施形態に係るエアクリーナ１のフィルタエレメント３０の組み付け方法について説明を行う。なお、図７（ａ）から（ｃ）において、ケース２０を閉塞するカバー１０は省略して記載されているが、内燃機関周辺には複数の部品が配置されているため、カバー１０はフィルタエレメント３０の交換作業時には、ケース２０から取り外すことができず、また開口部２２を十分に開くことができない状態でフィルタエレメント３０の組み付け作業を行う必要がある。
【００３５】
図７（ａ）に記載されているように、フィルタエレメント３０は、ケース２０の開口部２２の斜め上方から挿入方向Ｆに沿って挿入される。フィルタエレメント３０を挿入する際に、フランジ部３２の先端に形成されたシール手段保護部３４は、そのケース２０側に突出した突部３５が開口部２２のシール面２５に当接する。
【００３６】
この突部３５がシール面２５に当接した状態で更にフィルタエレメント３０を挿入方向Ｆに沿って挿入すると、図７（ｂ）に記載されているように、突部３５がシール面２５に沿って摺動する。このように、突部３５がシール手段保護部３４に形成されているので、突部３５がシール面２５に沿って摺動する際、シール手段３３は、シール面２５に触れることがなく、シール手段３３の損傷や捲れを防止することができる。
【００３７】
さらに、本実施形態に係るエアクリーナ１は、ケース２０内部にガイドを形成する必要がないので、エアクリーナの容量を確保することができ、性能を維持したまま、エアクリーナの大型化を抑制することができる。
【００３８】
なお、図７（ｃ）に記載されているように、フィルタエレメント３０がケース２０に組み付けられた状態では、突部３５はシール面２５から離間してケース２０の外部に突出するので、突部３５がシール手段３３の密封を阻害することはない。
【００３９】
また、シール手段保護部３４がケース２０の外部に突出しているので、フィルタエレメント３０の交換作業終了後にエアクリーナ１の外部からフィルタエレメント３０が組み付けられていることを目視確認することができ、交換作業によってフィルタエレメント３０が確実に組み付けられていることを確認することができる。
【００４０】
また、シール手段保護部３４がケース２０の開口部２２に形成された切欠部２３に挿入されているので、フィルタエレメント３０を表裏逆に組み付けることを防止することができる。
【００４１】
以上、第１の実施形態に係るエアクリーナについて説明した。しかしながら、本発明に係るエアクリーナはこの形態に限られない。そこで、次に別の形態を有するエアクリーナついて説明を行う。
【００４２】
［第２の実施形態］
図８（ａ）から（ｃ）は、第２の実施形態に係るエアクリーナにフィルタエレメントを組み付ける手順を説明するための図である。なお、以下で説明する第２の実施形態に係るエアクリーナでは、上述した第１の実施形態に係るエアクリーナと同一又は類似する部材について、同一符号を付してその説明を省略する場合がある。
【００４３】
図８（ａ）に示すように、本実施形態に係るエアクリーナは、上述した第１の実施形態に係るエアクリーナと略同様に形成されており、特徴的な点は、シール手段保護部３４ａの形状が、シール手段保護部３４を更に挿入方向Ｆに沿って延長させた延長部３６を備えている点である。
【００４４】
このように形成された本実施形態に係るエアクリーナは、フィルタエレメント３０ａの交換作業の際に、図８（ａ）に記載されているように、ケース２０の開口部２２の斜め上方から挿入方向Ｆに沿って挿入される。フィルタエレメント３０ａを挿入する際に、フランジ部３２の先端に形成されたシール手段保護部３４ａは、その先端から更に延長された延長部３６が開口部２２のシール面２５に当接する。
【００４５】
この延長部３６がシール面２５に当接した状態で更にフィルタエレメント３０ａを挿入方向Ｆに沿って挿入すると、図８（ｂ）に記載されているように、延長部３６がシール面２５に沿って摺動する。このように、延長部３６がシール手段保護部３４ａに形成されているので、延長部３６がシール面２５に沿って摺動する際、シール手段３３は、シール面２５に触れることがなく、シール手段３３の損傷や捲れを防止することができる。
【００４６】
なお、図８（ｃ）に記載されているように、フィルタエレメント３０ａがケース２０に組み付けられた状態では、延長部３６はシール面２５から離間してケース２０の外部に突出するので、延長部３６がシール手段３３の密封を阻害することはない。
【００４７】
以上、第２の実施形態に係るエアクリーナについて説明した。しかしながら、本発明に係るエアクリーナはこの形態に限られない。そこで、次に別の形態を有するエアクリーナついて説明を行う。
【００４８】
［第３の実施形態］
図９は、第３の実施形態に係るエアクリーナに組み付けられるフィルタエレメントの構成を説明するための正面図である。なお、以下で説明する第３の実施形態に係るエアクリーナでは、上述した第１及び第２の実施形態に係るエアクリーナと同一又は類似する部材について、同一符号を付してその説明を省略する場合がある。
【００４９】
図９に示すように、本実施形態に係るエアクリーナは、上述した第１の実施形態に係るエアクリーナと略同様に形成されており、特徴的な点は、シール手段保護部３４ｂが、フィルタエレメント３０ｂのフランジ部３２と一体に形成されている点である。即ち、本実施形態に係るエアクリーナに用いられるフィルタエレメント３０ｂは、フランジ部３２がエレメント部３１からシール面に沿って延設して形成されており、その上下面にシール手段３３が取り付けられている。
【００５０】
また、フランジ部３２は、フランジ部３２の延設方向に向けてシール手段３３から突出してシール手段保護部３４ｂを形成している。さらに、シール手段保護部３４ｂには、ケース２０の開口部２２に形成されたシール面２５側に向かって突出する突部３７が形成されている。
【００５１】
このように、本実施形態に係るエアクリーナは、シール手段保護部３４ｂをフランジ部３２と一体に形成しているので、フィルタエレメント３０ｂを組み付ける際に、シール手段保護部３４ｂがケース２０に形成されたシール面２５に沿って摺動する際、シール手段３３は、シール面２５に触れることがなく、シール手段３３の損傷や捲れを防止することができる。また、フランジ部３２とケース２０は共に合成樹脂で形成されているため、シール手段保護部３４ｂがシール面２５に沿って摺動する際の摺動抵抗を小さくすることができ、ゴムと合成樹脂とを摺動させる場合に比べ、容易にフィルタエレメント３０ｂの交換作業を行うことができる。
【００５２】
以上説明したように、上述した第１の実施形態及び第２の実施形態に係るエアクリーナでは、シール手段保護部３４を１つ形成した場合について説明したが、シール手段保護部３４，３４ａ，３４ｂは２以上形成しても構わない。シール手段保護部３４，３４ａ，３４ｂを２以上形成すると、フィルタエレメント３０，３０ａ，３０ｂの挿入時に、フィルタエレメント３０，３０ａ，３０ｂが挿入方向に沿った水平面に対して斜めに組み付けられることを防止することができ、シール手段３３をより確実に保護することができる。その様な変更又は改良を加えた形態も本発明の技術的範囲に含まれうることが、特許請求の範囲の記載から明らかである。
【符号の説明】
【００５３】
１  エアクリーナ，    １０  カバー，    １１  流出口，    １２  ヒンジ部，    １３  掛止部，    ２０  ケース，    ２１  流入口，    ２２  開口部，    ２３  切欠部，    ２４  ヒンジ受部，    ２５，１２５  シール面，    ３０，３０ａ，３０ｂ，１３０，１３０´  フィルタエレメント，    ３１  フィルタ部，    ３２  フランジ部，    ３３，１３３，１３３´  シール手段，    ３４，３４ａ，３４ｂ  シール手段保護部，    ３５，３７  突部，    ３６  延長部，    １２１  ガイド，    Ｆ  挿入方向。
【図１】
2012067133.tif 000003
【図２】
2012067133.tif 000004
【図３】
2012067133.tif 000005
【図４】
2012067133.tif 000006
【図５】
2012067133.tif 000007
【図６】
2012067133.tif 000008
【図７（ａ）】
2012067133.tif 000009
【図７（ｂ）】
2012067133.tif 000010
【図７（ｃ）】
2012067133.tif 000011
【図８（ａ）】
2012067133.tif 000012
【図８（ｂ）】
2012067133.tif 000013
【図８（ｃ）】
2012067133.tif 000014
【図９】
2012067133.tif 000015
【図１０】
2012067133.tif 000016
【図１１】
2012067133.tif 000017
【国際調査報告】
2012067133.tif 000018
2012067133.tif 000019